(57)【要約】【課題】  構造が簡単で安価に製造することができ、しかも躓きにくくバリアフリー化を図ることができ、さらに、面倒なフックの掛け、外しの作業を簡略化できる戸当たりを提供することである。【解決手段】  床面１に取付けられ表面に被係止板２を起倒自在に保持したプレート体３と、ドア４の下端部に取付けられた磁石保持体５とを備えた戸当りであり、前記磁石保持体５は、ケーシング６と、該ケーシング内に保持された磁石７と、ロックスイッチ８とを備えており、ケーシング６の底面には磁石７が固定保持され且つ係止爪出没用の開口が設けられており、さらにケーシング６の上下方向にはロックスイッチ操作用切り欠き溝９が形成されており、ロックスイッチ８は、基端部が前記ケーシング６内の背面側でケーシング内側面に回転自在に取り付けられ、上部が切り欠き溝9を経てケーシング外に突出した操作部１１となり、下部に前記ケーシングの底面に設けた出没用の開口を経てケーシング底面から下方に出没する係止爪１２が形成されている。【選択図】図１
0003145438.tif 000002
【実用新案登録請求の範囲】
【請求項１】
床面に取付けられ表面に被係止板を起倒自在に保持したプレート体と、ドアの下端部に取付けられた磁石保持体とを備え、
前記磁石保持体は、ケーシングと、該ケーシング内に保持された磁石と、ロックスイッチとを備えており、ケーシング背面がドアへの取付座となり、ケーシング底面には前記磁石が固定保持され且つ係止爪出没用の開口が設けられており、さらにケーシングの上下方向にはロックスイッチ操作用切り欠き溝が形成されており、
前記ロックスイッチは、基端部が前記ケーシング内の背面側でケーシング内側面に回転自在に取り付けられており、上部が前記切り欠き溝を経てケーシング外に突出した操作部となり、下部に前記ケーシングの底面に設けた出没用の開口を経てケーシング底面から下方に出没する係止爪が形成されており、
ドアを開いて該ドアに取付けた磁石保持体が前記プレート体の上方に近接したとき、磁石によってプレート体から前記被係止板が起立してケーシング底面に止着するように構成されると共に、
前記ロックスイッチの操作部を前記切り欠き溝に沿ってケーシングの下方に倒したロック・オン状態では、該ロックスイッチの係止爪がケーシング底面から下方に突出して、起立した前記被係止板に係止し、一方、ロックスイッチの操作部がケーシングの上部に位置するロック・オフ状態では、前記係止爪は、前記被係止板から離脱するように構成されていることを特徴とする戸当り。
【請求項２】
前記ケーシングの上部にはドアのロック状態を表示するマークが形成されており、該マークは、前記ロックスイッチがケーシングの上部に位置するロック・オフ状態では、ロックスイッチの操作部背面に位置して隠蔽されている請求項１に記載の戸当り。
【考案の詳細な説明】
【技術分野】
【０００１】
本考案は、磁石を利用してのドアの仮止めと、所望により強固なロックを行なうことができる戸当りに関する。
【背景技術】
【０００２】
玄関や部屋のドアを開放したときに、ドアが壁等に衝突して互いに損傷することを防止するために、従来から種々な戸当りが設けられている。
【０００３】
ところが、この種ドアストッパは、通常、壁際に床から突出して設けられるため、床の掃除の邪魔になったり、足を引っ掛けてけがをしたりするといった不都合があった。しかも、ドアを開放状態に保持するためにフックをドアの係止部に係止したり、或いはフックを外す作業を人が行わなければならないため、その作業の度に、腰を曲げたり、かがんだりしなければならず、非常に煩雑で負担が大きいという問題もあった。
【０００４】
このような問題を解決するために、特許文献１には、扉側に固定し、マグネットを配設した戸当たり本体と、床面に固定し、床面より突出するようにストッパ片を揺動可能に配設した係止具本体とからなり、開扉時に扉が設定された位置にきたときに、マグネットの励磁吸着作用によりストッパ片を床面より突出させて戸当たり本体側に当接させ、それ以上の開扉を阻止するように構成し、さらに、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成した戸当りが記載されている。
【０００５】
このような戸当りでは、開扉時以外は係止具本体のストッパ片は床面より突出しないため、躓き等を未然に防止することができ、開扉時、扉が係止具本体位置にきたときに、マグネットの励磁吸着作用によりストッパ片を床面より突出させて戸当たり本体側に当接させ、それ以上の開扉を阻止することができる。特に、戸当たり片に係止爪を形成して、この係止爪をストッパ片に形成した係止部に係止させることにより、人が扉に当たったりして、扉に強い力が作用しても、扉が閉じるのを防止することができる。
【特許文献１】特許第３９３９１６３号公報（段落[0005]〜[0007]）
【考案の開示】
【考案が解決しようとする課題】
【０００６】
特許文献１に記載の戸当りは、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設しているため、ロック機構がきわめて複雑であり、そのため製造コストが高くなるという問題があった。
【０００７】
本考案は、構造が簡単で安価に製造することができ、しかも躓きにくくバリアフリー化を図ることができ、さらに、面倒なフックの掛け、外しの作業を簡略化できる戸当たりを提供することを目的とする。
【課題を解決するための手段】
【０００８】
本考案にかかる戸当りは、以下の構成からなる。
（1）床面に取付けられ表面に被係止板を起倒自在に保持したプレート体と、ドアの下端部に取付けられた磁石保持体とを備え、
前記磁石保持体は、ケーシングと、該ケーシング内に保持された磁石と、ロックスイッチとを備えており、ケーシング背面がドアへの取付座となり、ケーシング底面には前記磁石が固定保持され且つ係止爪出没用の開口が設けられており、さらにケーシングの上下方向にはロックスイッチ操作用切り欠き溝が形成されており、
前記ロックスイッチは、基端部が前記ケーシング内の背面側でケーシング内側面に回転自在に取り付けられており、上部が前記切り欠き溝を経てケーシング外に突出した操作部となり、下部に前記ケーシングの底面に設けた出没用の開口を経てケーシング底面から下方に出没する係止爪が形成されており、
ドアを開いて該ドアに取付けた磁石保持体が前記プレート体の上方に近接したとき、磁石によってプレート体から前記被係止板が起立してケーシング底面に止着するように構成されると共に、
前記ロックスイッチの操作部を前記切り欠き溝に沿ってケーシングの下方に倒したロック・オン状態では、該ロックスイッチの係止爪がケーシング底面から下方に突出して、起立した前記被係止板に係止し、一方、ロックスイッチの操作部がケーシングの上部に位置するロック・オフ状態では、前記係止爪は、前記被係止板から離脱するように構成されていることを特徴とする戸当り。
【０００９】
（2）前記ケーシングの上面にはドアのロック状態を表示するマークが形成されており、該マークは、前記ロックスイッチがケーシングの上面に位置するロック・オフ状態では、ロックスイッチの背面に位置して隠蔽されている（1）に記載の戸当り。
【考案の効果】
【００１０】
本考案によれば、ケーシング底面に磁石を固定保持させ、且つ１つのロックスイッチに操作部と係止爪とを一体に設けたことにより、構造が簡単で安価に製造することができる。また、ロックスイッチをケーシングの上下方向に移動させるだけで、ロックのオン-オフ操作が可能であるので、例えば足のつま先などで簡単に操作でき、腰をかがめる必要がないので、取り扱いが容易である。
ケーシング底面に磁石を固定保持させたので、磁石を大きくでき、従ってプレート体の被係止板を強い磁力により確実に保持することができる。
【００１１】
また、上記(２)に記載のように、ロック状態を表示するマークをケーシングの上面に設けて、ロック・オフ状態では、ロックスイッチの背面に位置して隠蔽されるようにしているので、ロックスイッチをケーシングの前面に倒したロック・オン状態では、マークがケーシングの上面に現われので、ロック・オン状態であることを簡単に視認することができる。
【考案を実施するための最良の形態】
【００１２】
図１（a）,(b)は本考案の一実施形態に係るロック・オフ状態の戸当りを示す断面図および正面図であり、図２は当該戸当りのロック・オン状態を示す断面図である。図３（a）,(b)はこの実施形態におけるロックスイッチを示す正面図および側面図である。図４〜図６はこの実施形態に係る戸当りの動作を説明するための斜視図である。
【００１３】
図１に示すように、この実施形態に係る戸当りは、床面１に取付けられ表面に磁性材からなる被係止板２を起倒自在に保持したプレート体３と、ドア４の下端部に取付けられた磁石保持体５とを備える。磁石保持体５は、ケーシング６と、該ケーシング６内に保持された磁石７と、ロックスイッチ８とを備えており、ケーシング６の背面がドア４への取付座となる。すなわち、図１(b)に示すように、ケーシング６は、両側に設けたビス穴を挿通したビス１７によってドア４に固定される。
【００１４】
プレート体３は、床面１に設置しても邪魔にならない厚さ3ｍｍ程度の薄いものであるので、いわゆるバリアフリーの要請に合致する。被係止板２は図４に示すようにプレート体３の表面に設けた凹部１３内に収容され、一端が回転自在に支持されている。被係止板２の両側は一部が切り欠かれて、後述する係止爪１２が係止する被係止部２１となる。
【００１５】
ケーシング６の傾斜した底板内面には磁石７が固定保持されており、この底板の両側、すなわち磁石７の取り付け位置の両側には、係止爪出没用の開口(図示せず)が設けられている。さらにケーシング６の傾斜した前面には、その上下方向にロックスイッチ操作用切り欠き溝９が形成されている。
【００１６】
前記ロックスイッチ８は、図１〜図３に示すように、操作部１１となる上辺とこの上辺の両側から垂下した脚部とが一体に形成された略コ字形で構成され、脚部の先端下部に係止爪１２が形成されている。このロックスイッチ８は、脚部を前記切り欠き溝９を経てケーシング６内に挿入される。そして、脚部の基端部が前記ケーシング６内の背面側に床面と水平にケーシング６の内側面間に架設された回転軸１０に支持されて、該回転軸１０を中心に回転自在に取り付けられている。
【００１７】
そのため、操作部11は、前記切り欠き溝を経てケーシング外に突出し、この操作部11をロックスイッチ操作用切り欠き溝９に沿って操作することにより、ケーシング６の底面に設けた係止爪出没用の開口を経て係止爪１２がケーシング６の底面から下方に出没自在となる。
【００１８】
また、図３に示すように、ロックスイッチ８の両脚部の外側面には比較的小さな孔１５が形成されている。この孔１５は、図１に示すようなロック・オフ状態でケーシング６の内面に設けた突起部１６が嵌入して、振動や衝撃で不用意にロックスイッチ８が動かないように固定するものである。
【００１９】
次にこの実施形態に係る戸当りの動作を図４〜図６に基づいて説明する。図４に示すように、ドア４が床面１のプレート体３に近づかないとき（例えばドア４を閉じた状態）では、プレート体３の被係止板２は凹部１３内に収容されたままである。この状態で、ドア４がプレート体３に近づくと(図４に矢印Ａで示す)、磁石保持体５のケーシング６底面に設けた磁石７の磁力によって、被係止板２が一端を支点として回転して立ち上がり、図１および図５に示すように、ケーシング６の底面に止着される。
【００２０】
そのため、立ち上がった被係止板２によって、ドア４はそれ以上には矢印Ａ方向には開扉できなくなると共に、磁石７が被係止板２に止着しているので、ドア４が不用意に閉扉方向に動くのが阻止され、いわゆる仮止め状態となる。
【００２１】
図１および図５に示す状態から、ドア４を確実にロックするためには、図２および図６に示すように、ロックスイッチ８をケーシング６の下方に倒せばよい。すなわちロックスイッチ８を下方に倒すことにより、ロックスイッチ８の係止爪１２がケーシング底面から下方に突出して、起立した前記被係止板２の被係止部２１に係止し、ロック・オン状態となる。
【００２２】
図６において、符号１４は、ケーシング６の上部に形成された、ドア４のロック状態を表示するマークである。このマーク１４は、ロックスイッチ８がケーシング６の上部に位置するロック・オフ状態(図４，５)では、ロックスイッチ８の操作部１１の背面に位置して隠蔽されているが、ロック・オン状態では、図６に示すように、ロックスイッチ８が下方に倒されるので、マーク１４を視認することができ、そのためロック・オン状態であることを容易に認識することができる。マーク１４としては、例えば赤色に着色した粘着テープなどが使用可能である。
【００２３】
一方、ロックを解除する場合には、ロックスイッチ８を上部位置に戻せばよく、これにより前記係止爪１２は、被係止板２から離脱するように構成されている。
【００２４】
なお、以上の説明では、ロックスイッチ８を脚部が２つの略コ字形で構成したが、脚部が１つのＴ字形または逆Ｌ字形などであっても使用可能である。
また、係止爪１２および被係止板２の被係止部２１の形状も前記したものに限定されるものではなく、種々の形態が可能であり、例えば被係止部２１が被係止板２に設けた孔部であっても良い。
【図面の簡単な説明】
【００２５】
【図１】（a）,(b)は本考案の一実施形態に係るロック・オフ状態の戸当りを示す断面図および正面図である。
【図２】図１に示す戸当りのロック・オン状態を示す断面図である。
【図３】（a）,(b)は本考案の一実施形態におけるロックスイッチを示す正面図および側面図である。
【図４】本考案の一実施形態に係る戸当りの動作を説明するための斜視図である。
【図５】本考案の一実施形態に係る戸当りのロック・オフ状態を示す斜視図である。
【図６】本考案の一実施形態に係る戸当りのロック・オン状態を示す斜視図である。
【符号の説明】
【００２６】
１    床面
２    被係止板
３    プレート体
４    ドア
５    磁石保持体
６    ケーシング
７    磁石
８    ロックスイッチ
９    切り欠き溝
１０    回転軸
１１    操作部
１２    係止爪
１４    マーク
【図１】
0003145438.tif 000003
【図２】
0003145438.tif 000004
【図３】
0003145438.tif 000005
【図４】
0003145438.tif 000006
【図５】
0003145438.tif 000007
【図６】
0003145438.tif 000008